(57)【要約】【課題】収納した物品の保管用としても用いることのできる簡便なブリスター容器を提供する。【解決手段】物品収納部が形成されたブリスターカバーと、該ブリスターカバーの開口面側を閉蓋する蓋板とからなり、該ブリスターカバーの両側縁を背面側に折返して折り返し片を形成し、該折り返し片の間に該蓋板を差し込んで組み立てるブリスター容器であって、該蓋板の上端辺から下端辺に向って２本の切離線を設け、該蓋板に切り起こし蓋を形成可能にしたブリスター容器である。【選択図】図４
2008056328.tif 000002
【特許請求の範囲】
【請求項１】
物品収納部が形成されたブリスターカバーと、該ブリスターカバーの開口面側を閉蓋する蓋板とからなり、該ブリスターカバーの両側縁を背面側に折返して折り返し片を形成し、該折り返し片の間に該蓋板を差し込んで組み立てるブリスター容器であって、該蓋板の上端辺から下端辺に向って２本の切離線を設け、該蓋板に切り起こし蓋を形成可能にしたブリスター容器。
【請求項２】
２本の切離線が、蓋板の上端辺から下端辺に向って、途中の位置まで平行に設けられている、請求項１に記載のブリスター容器。
【請求項３】
２本の切離線を結ぶ折り曲げ予定線が設けられている、請求項１又は２に記載のブリスター容器。
【請求項４】
折り曲げ予定線が、２本の切離線の終端を結んでいる、請求項３に記載のブリスター容器。
【請求項５】
ブリスター容器の下部に自立用膨出部を設けた、請求項１〜４のいずれかに記載のブリスター容器。
【請求項６】
柄を有する清掃具用である、請求項１〜５のいずれかに記載のブリスター容器。
【発明の詳細な説明】
【技術分野】
【０００１】
本発明はブリスター容器に関し、詳しくは、収納した物品の保管用としても用いることのできるブリスター容器に関する。
【背景技術】
【０００２】
清掃具、日用雑貨、事務用品、機械部品、電化製品等の物品（商品）を包装し、販売する手段として、いわゆるブリスター容器が広く利用されている（例えば、特許文献１及び２参照）。
ブリスター容器は、通常、透明な合成樹脂シートを膨隆状に成形したブリスターカバーと、このブリスターカバーの開口面側を閉蓋する蓋板で構成され、ブリスターカバー内の物品収納部に物品を収納した後、蓋板をブリスターカバーの開口面に被せて両者を一体的に組み立てて使用する容器である。
【０００３】
このブリスター容器には、ブリスターカバーの両側縁を折り返し、この折り返し片の間に蓋板を挟持させて組み立てるものであって、ブリスターカバーの折り返し片の縁の一部に孔部を形成し、その孔部に係止される抜け止め用の係合部を蓋板に形成し、このブリスターカバーに蓋板をスライド嵌合させて組み立てる、いわゆる「スライド組み立て式」と、ブリスターカバーと蓋板をシュリンク包装、ステープル止め、接着剤シール等を利用して組み立てる、いわゆる「接合組み立て式」とがある。
これらのブリスター容器は、上部にフック穴を設け、吊り下げることで陳列スペースを節約できる利点がある。
【０００４】
このようなブリスター容器は、本来流通に用いられるものであるが、保管容器として再使用可能とする試みも行われている。例えば、ブリスターカバーの一部を切り取り、残りの部分を保管容器とするもの（特許文献３）、ブリスターカバーと蓋板を接着又は嵌合しうるもの（特許文献４及び５）等が知られている。
しかし、収納した物品を組み立てて商品として使用する場合、例えば、組み立て式清掃具等を保管しようとする場合、ブリスター容器の物品収納部の形状が組み立て後の商品の形状と異なるため、ブリスター容器に保管しようとしても商品の大部分がはみ出したり又は保管できないという問題があった。特に清掃具では、保管時の開口部分が大きいと、清掃具に付着した埃等が周囲に飛散するので、ブリスター容器を保管用に活用することは、あまり行なわれていなかった。
【０００５】
【特許文献１】実開昭５８−１８３３６９号公報
【特許文献２】特開２００３−２２１０６６号公報
【特許文献３】特開２００３−９５３２４号公報
【特許文献４】特開２００３−２６２３０号公報
【特許文献５】特開２００５−１２６１０３号公報
【発明の開示】
【発明が解決しようとする課題】
【０００６】
本発明は、収納した物品の保管用としても用いることのできる簡便なブリスター容器を提供することを課題とする。
【課題を解決するための手段】
【０００７】
本発明は、物品収納部が形成されたブリスターカバーと、該ブリスターカバーの開口面側を閉蓋する蓋板とからなり、該ブリスターカバーの両側縁を背面側に折返して折り返し片を形成し、該折り返し片の間に該蓋板を差し込んで組み立てるブリスター容器であって、該蓋板の上端辺から下端辺に向って２本の切離線を設け、該蓋板に切り起こし蓋を形成可能にしたブリスター容器を提供する。
【発明の効果】
【０００８】
本発明のブリスター容器によれば、流通に用いたものをそのまま保管用としても用いることができる。また、嵌合部等の特別な構成を付加する必要もないので、製造時のコストアップもなく、保管用として使用する場合も使い勝手がよく、保管時のスペースも節約できる。
【発明を実施するための最良の形態】
【０００９】
本発明のブリスター容器は、物品収納部が形成されたブリスターカバーと、該ブリスターカバーの開口面側を閉蓋する蓋板とからなり、該ブリスターカバーの両側縁を背面側に折返して折り返し片を形成し、該折り返し片の間に該蓋板を差し込んで組み立てるブリスター容器であって、該蓋板の上端辺から下端辺に向って２本の切離線を設け、該蓋板に切り起こし蓋を形成可能にするように構成されている。
【００１０】
まず図面を参照して、本発明のブリスター容器について説明する。図１は、本発明のブリスター容器（組み立て後）の一例を示す正面図であり、図２は、図１のブリスター容器の分解図であり、（ａ）はブリスターカバーの正面図、（ｂ）はブリスターカバーの底面図、（ｃ）は蓋板の正面図である。図３は、図２（ａ）に示すブリスターカバーの斜視図であり、図４は、図１のブリスターカバーの背面側の斜視図であり、切り起こし蓋を起こして清掃具を保管した状態を示す。
【００１１】
図１及び図２に示す、いわゆるスライド組み立て式のブリスター容器１は、透明な合成樹脂シート等から成形されたブリスターカバー２と、ブリスターカバー２と横方向の寸法がほぼ同一又は僅かに小さく、ブリスターカバー２の開口面側を閉蓋する蓋板３とから構成されている。ブリスターカバー２には、収納する物品（清掃具、日用雑貨、事務用品、機械部品、電化製品等）の形状に合せた物品収納部４が形成されている。また、蓋板３には、上端辺から下端辺に向って２本の切離線１０，１０’を設け、切り起こし蓋１１を形成可能としている。ブリスターカバー２と蓋板３は、同じ平面形状を有する必要はないが、少なくとも物品収納部４は重なり合う形状となっている。
【００１２】
図２（ａ）において、ブリスターカバー２の両側縁は背面側に折り返されて、折り返し片５，５’が形成されており、ブリスターカバー２の上側縁にも折り返し片５’’が設けられている。そして、ブリスターカバー２の両側縁の折り返し片５，５’の側縁の一部には孔部６，６’が形成されている。
一方、図２（ｃ）において、蓋板３には、ブリスターカバー２の孔部６，６’に係止される抜け止め用の係合部７，７’が、ブリスターカバー２の両側縁の孔部６，６’の間の幅よりも広幅になるように突設されている。そして、抜け止め用の係合部７，７’は、蓋板３を差し込む方向側から徐々に広幅となるテーパー状とし、差し込む方向と反対側の側縁が蓋板３の側縁と概ね垂直又は鋭角となるように形成することによって、蓋板３をブリスターカバー２にスライドして挿入容易としながら、挿入後の抜け止めを確実とすることが好ましい。
【００１３】
すなわち、ブリスターカバー２の両側縁の折り返し片５，５’の間に、蓋板３を下から差し込むようにスライドして挿入すると、蓋板３の係合部７，７’の領域では、係合部７，７’の側縁が徐々に広幅となるテーパーによって挿入可能としながら、係合部７，７’がブリスターカバー２の孔部６，６’と嵌合すると、係合部７，７’の挿入方向と反対側の側縁が孔部６，６’に係合し、ブリスターカバー２が蓋板３から抜けないように不可逆的に係止され、蓋板３はブリスターカバー２に挟持される。このため、ブリスター容器１の組み立て後は、ブリスターカバー２及び物品収納部４に収納された物品は蓋板３から外れて落下することはない。なお、蓋板３の抜け防止を強化するために、ブリスターカバー２の底部に抜け落ち防止のための受部（図示せず）を設けることもできる。
ブリスターカバー２と蓋板３は着脱自在となっており、また、蓋板３にはデザインや物品情報表示等を印刷することができる。
なお、係合部７，７’と孔部６，６’との係合によらず、シール材を貼付することにより、蓋板３を固定することもできる。
【００１４】
ブリスター容器１の上部にはフック穴等からなる吊下げ部８が設けられている。この吊下げ部８は、ブリスター容器１を組み立てた際に、ブリスターカバー２と蓋板３に設けた吊下げ部８の位置が一致するように設けられる。この吊下げ部８を利用して、ブリスター容器１を陳列台のバーに通して吊り下げることによって、狭いスペースに多数のブリスター容器１を整然と陳列することができる。
また、図１に示すように、ブリスターカバー２の下部（底面）には、ブリスター容器１をショーケース等に載置する際に、立設して展示販売することができるようにするための自立用膨出部９が設けられている。ブリスター容器１は、自立用膨出部９の底面がショーケース等の載置面に接する脚となって自立することができる。
【００１５】
ブリスターカバー２を形成する合成樹脂は特に限定されず、ポリ塩化ビニル、ポリエチレン、ポリプロピレン、ポリエチレンテレフタレート、ポリスチレン、ポリカーボネート等の各種の樹脂を用いることができる。透明な合成樹脂シートを用いてブリスターカバー１を形成すれば、その物品の優れた外観、模様、色彩等を陳列時に視認させることができるため好ましい。
これらの合成樹脂からなるシートは、収納する物品の特性を考慮して適宜厚みを調整すればよく、通常０．１〜１ｍｍ、好ましくは０．３〜０．８ｍｍの厚みとする。合成樹脂からなるシートは金型成形等により所望の形状に加工される。
蓋板３の材質は特に限定されず、合成樹脂シート、板紙、合成紙、合成樹脂シートと板紙又は合成紙等からなる積層材等を用いることができる。これらの中では、取扱いの利便性や印刷等の加工性の観点からコート板紙が好ましい。
【００１６】
本発明のブリスター容器１においては、図２（ｃ）及び図４に示すように、蓋板３の上端辺から下端辺に向って２本の切離線１０，１０’を設け、蓋板３に切り起こし蓋１１を形成可能したことが特徴である。
切離線１０，１０’は、切り離しを容易にするためにミシン目等により形成されており、切離線１０，１０’を切り離すことによって切り起こし蓋１１を形成可能としている。
切離線１０，１０’は、蓋板３の上端辺から下端辺に向って、途中の位置まで、好ましくは商品の形状を考慮した所望の長さ、例えば蓋板３の長さの概ね２分の１までの長さになるよう設ければよい。切離線１０，１０’は、両者がハの字状又は逆ハの字状になるように設けることもできるが、取扱いの便宜上、通常は両者が略平行になるように設けることが好ましい。
切離線１０と１０’の間には、両者を結ぶ折り曲げ予定線１２が設けることが好ましく、折り曲げ予定線１２は切離線１０と１０’の終端とを結ぶように設けることが好ましい。
【００１７】
次ぎに、清掃具用のブリスター容器について、その使用方法を説明する。
本発明のブリスター容器１において、ブリスターカバー２の物品収納部４に、清掃用部材（ハンディモップ）と折り畳まれた柄又は組立て用の柄が分離された状態（図示せず）で収納され、蓋板３で物品収納部４が閉蓋された状態で流通に供される。このとき、蓋板３の係合部７がブリスターカバー２の折り返し片５，５’の側縁に形成された孔部６，６’に嵌合している。
消費者はブリスター容器に入った清掃具を購入後、蓋板３をスライドさせてブリスターカバー２から取り外す。次いで、物品収納部４から清掃用部材（ハンディモップ）と柄を取り出し、柄を使用可能な状態にセットし、これを清掃用部材（ハンディモップ）に装着することで清掃具とする。このような使用形態にすると、清掃具はそのままでは物品収納部４に収納することができず、収納しても蓋板３で蓋をすることができなくなる。
【００１８】
ここで、本発明においては、蓋板３の上端辺から下端辺に向って２本の切離線１０，１０’を設け、蓋板３に切り起こし蓋１１を形成可能したので、蓋板３の上部中央を摘み、蓋板３を手前に引くことにより、切離線１０，１０’を切り離して切込み１３，１３’を形成することができ、切り起こし蓋１１が折り曲げ予定線１２を回動軸として起立可能とすることができる。
切離線１０，１０’を切り離した後、清掃具を物品収納部４に収納しない状態で蓋板３をブリスターカバー２の折り返し片５，５’に再び挿入する。そして蓋板３の係合部７，７’がブリスターカバー２の折り返し片５，５’の側縁に形成された孔部６，６’で係止されることで、蓋板３がブリスターカバー２から抜けることがないようにする。
ここで、切り起こし蓋１１を手前に開き、物品収納部４に清掃具を差し込むことで、図４に示したように、清掃用部材が物品収納部４に収納され清掃具の柄１４が上方に飛び出した状態で清掃具が保管される。
切り起こし蓋１１は蓋板３（板紙）の弾性により、閉じる方向に付勢されてほぼ閉じた状態となっているので、保管時に清掃用部材（ハンディモップ）に付着した埃が周囲に飛散することを防止できる。
また、清掃具の柄が若干飛び出した状態で保管されているので、使用するときにもいちいち蓋を開けることなく、柄を引き上げるだけで使用可能となるので簡便である。
【００１９】
本発明のブリスター容器では、蓋板３の上端辺から下端辺に向って２本の切離線１０，１０’を設け、蓋板３に切り起こし蓋１１を形成可能にするという簡単かつ低コストな構成により、流通に用いたブリスター容器をそのまま保管用としても用いることができる。
【産業上の利用可能性】
【００２０】
本発明のブリスター容器は、収納した物品の保管用としても用いることのできる簡便な構造を有しており、収納した物品を組み立てて商品として使用する場合、例えば、組立て後の清掃具等を保管する場合のブリスター容器として、特に有効に利用できる。
【図面の簡単な説明】
【００２１】
【図１】本発明のブリスター容器（組み立て後）の一例を示す正面図である。
【図２】図１のブリスター容器の分解図であり、（ａ）はブリスターカバーの正面図、（ｂ）はブリスターカバーの底面図、（ｃ）は蓋板の正面図である。
【図３】図２（ａ）に示すブリスターカバーの正面側の斜視図である。
【図４】図１のブリスターカバーの背面側の斜視図であり、切り起こし蓋を起こして清掃具を保管した状態を示す。
【符号の説明】
【００２２】
１：ブリスター容器
２：ブリスターカバー
３：蓋板
４：物品収納部
５，５’，５’’：折り返し片
６，６’：孔部
７，７’：係合部
８：吊下げ部
９：自立用膨出部
１０，１０’：切離線
１１：切り起こし蓋
１２：折り曲げ予定線
１３，１３’：切込み
１４：清掃具の柄
【図１】
2008056328.tif 000003
【図２】
2008056328.tif 000004
【図３】
2008056328.tif 000005
【図４】
2008056328.tif 000006
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
清掃用部材と柄を収納するための物品収納部が形成されたブリスターカバーと、該ブリスターカバーの開口面側を閉蓋する蓋板とからなり、該ブリスターカバーの両側縁を背面側に折返して折り返し片を形成し、該折り返し片の間に該蓋板を差し込んで組み立てる自立可能なブリスター容器であって、該蓋板の上端辺から下端辺に向って２本の切離線を設け、該蓋板に切り起こし蓋を形成可能に構成し、該柄を使用可能な状態にセットした清掃具を該物品収納部に収納したときに、該柄が容器の上方に飛び出した状態で保管される、清掃具用のブリスター容器。
【請求項２】
２本の切離線が、蓋板の上端辺から下端辺に向って、途中の位置まで平行に設けられている、請求項１に記載の清掃具用のブリスター容器。
【請求項３】
２本の切離線を結ぶ折り曲げ予定線が設けられている、請求項１又は２に記載の清掃具用のブリスター容器。
【請求項４】
折り曲げ予定線が、２本の切離線の終端を結んでいる、請求項３に記載の清掃具用のブリスター容器。
【請求項５】
ブリスター容器の下部に自立用膨出部を設けた、請求項１〜４のいずれかに記載の清掃具用のブリスター容器。
【手続補正２】
【補正対象書類名】明細書
【補正対象項目名】０００７
【補正方法】変更
【補正の内容】
【０００７】
本発明は、清掃用部材と柄を収納するための物品収納部が形成されたブリスターカバーと、該ブリスターカバーの開口面側を閉蓋する蓋板とからなり、該ブリスターカバーの両側縁を背面側に折返して折り返し片を形成し、該折り返し片の間に該蓋板を差し込んで組み立てる自立可能なブリスター容器であって、該蓋板の上端辺から下端辺に向って２本の切離線を設け、該蓋板に切り起こし蓋を形成可能に構成し、該柄を使用可能な状態にセットした清掃具を該物品収納部に収納したときに、該柄が容器の上方に飛び出した状態で保管される、清掃具用のブリスター容器を提供する。
【手続補正３】
【補正対象書類名】明細書
【補正対象項目名】０００９
【補正方法】変更
【補正の内容】
【０００９】
本発明の清掃具用のブリスター容器は、清掃用部材と柄を収納するための物品収納部が形成されたブリスターカバーと、該ブリスターカバーの開口面側を閉蓋する蓋板とからなり、該ブリスターカバーの両側縁を背面側に折返して折り返し片を形成し、該折り返し片の間に該蓋板を差し込んで組み立てる自立可能なブリスター容器であって、該蓋板の上端辺から下端辺に向って２本の切離線を設け、該蓋板に切り起こし蓋を形成可能に構成し、該柄を使用可能な状態にセットした清掃具を該物品収納部に収納したときに、該柄が容器の上方に飛び出した状態で保管されるように構成されている。
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
清掃用部材と柄の形状に合せた物品収納部が形成されたブリスターカバーと、該ブリスターカバーの開口面側を閉蓋する蓋板とからなり、該ブリスターカバーの両側縁を背面側に折返して折り返し片を形成し、該折り返し片の間に該蓋板を差し込んで組み立てる自立可能なブリスター容器であって、該ブリスターカバーの両側縁の折り返し片の側縁の一部に孔部を形成し、該蓋板に、該孔部に係止される抜け止め用の係合部を突設し、該ブリスターカバーの底面には自立用膨出部を設け、かつ該蓋板の上端辺から下端辺に向って２本のミシン目を設け、該蓋板に切り起こし蓋を形成可能に構成し、該柄を使用可能な状態にセットした清掃具を該物品収納部に収納したときに、該柄が切り起こし蓋を介して容器の上方に飛び出した状態で保管される、清掃具用のブリスター容器。
【請求項２】
２本のミシン目が、蓋板の上端辺から下端辺に向って、途中の位置まで平行に設けられている、請求項１に記載の清掃具用のブリスター容器。
【請求項３】
２本のミシン目を結ぶ折り曲げ予定線が設けられている、請求項１又は２に記載の清掃具用のブリスター容器。
【請求項４】
折り曲げ予定線が、２本のミシン目の終端を結んでいる、請求項３に記載の清掃具用のブリスター容器。
【手続補正２】
【補正対象書類名】明細書
【補正対象項目名】０００７
【補正方法】変更
【補正の内容】
【０００７】
本発明は、清掃用部材と柄の形状に合せた物品収納部が形成されたブリスターカバーと、該ブリスターカバーの開口面側を閉蓋する蓋板とからなり、該ブリスターカバーの両側縁を背面側に折返して折り返し片を形成し、該折り返し片の間に該蓋板を差し込んで組み立てる自立可能なブリスター容器であって、該ブリスターカバーの両側縁の折り返し片の側縁の一部に孔部を形成し、該蓋板に、該孔部に係止される抜け止め用の係合部を突設し、該ブリスターカバーの底面には自立用膨出部を設け、かつ該蓋板の上端辺から下端辺に向って２本のミシン目を設け、該蓋板に切り起こし蓋を形成可能に構成し、該柄を使用可能な状態にセットした清掃具を該物品収納部に収納したときに、該柄が切り起こし蓋を介して容器の上方に飛び出した状態で保管される、清掃具用のブリスター容器を提供する。
【手続補正３】
【補正対象書類名】明細書
【補正対象項目名】０００９
【補正方法】変更
【補正の内容】
【０００９】
本発明の清掃具用のブリスター容器は、清掃用部材と柄の形状に合せた物品収納部が形成されたブリスターカバーと、該ブリスターカバーの開口面側を閉蓋する蓋板とからなり、該ブリスターカバーの両側縁を背面側に折返して折り返し片を形成し、該折り返し片の間に該蓋板を差し込んで組み立てる自立可能なブリスター容器であって、該ブリスターカバーの両側縁の折り返し片の側縁の一部に孔部を形成し、該蓋板に、該孔部に係止される抜け止め用の係合部を突設し、該ブリスターカバーの底面には自立用膨出部を設け、かつ該蓋板の上端辺から下端辺に向って２本のミシン目を設け、該蓋板に切り起こし蓋を形成可能に構成し、該柄を使用可能な状態にセットした清掃具を該物品収納部に収納したときに、該柄が切り起こし蓋を介して容器の上方に飛び出した状態で保管されるように構成されている。